(57)【特許請求の範囲】
【請求項１】
ループ状の金属ストラップと横バックルとを備えるクランプカラーであって、前記横バックルは、前記ストラップの第１端にて保持され、前記第１端の外側で、前記ストラップの第２端が挿入される挿通路を形成し、前記横バックルは、前記ストラップの前記第１端の内側の面に対向して配置される内側部分を有し、前記内側部分は、前記ストラップの前記第１端の自由先端が向く方向と反対の方向に向く制止横エッジを有し、前記制止横エッジは、前記ストラップの前記第１端内に形成された制止後退部を規定する前記第１端の制止横止め部と連係し、
前記ストラップの前記第２端が保持横止め部を有し、前記保持横止め部は、前記制止後退部に受け止められ、前記制止後退部の保持エッジに当接して連係することによって、前記ストラップの前記第２端を保持し、それにより、前記ストラップの前記第２端が前記クランプカラーの直径が大きくなる方向に移動することを防止し、
前記保持横止め部は、前記ストラップの前記第２端において形成される保持後退部を規定し、
前記保持後退部は、前記ストラップの前記第２端の横方向中央に形成される横切り込みによって規定され、前記保持横止め部は、前記保持後退部の、前記ストラップの前記第１端の自由先端が位置する側に位置する前記横切り込みの縁部上に形成されることを特徴とするクランプカラー。
【請求項２】
前記制止横エッジは、前記横バックルの前記内側部分の第１の自由端上に位置する自由エッジであることを特徴とする請求項１に記載のクランプカラー。
【請求項３】
前記制止横エッジは、前記横バックルの前記内側部分の前記第１の自由端において、ノッチの、前記ストラップの前記第１端の自由先端が位置する側に形成されることを特徴とする請求項２に記載のクランプカラー。
【請求項４】
前記制止後退部の半径方向に測定される深さ（Ｐ）は、前記ストラップの厚さ（ｅ）または前記横バックルの前記内側部分の厚さ（Ｅｂ）に実質的に等しいか、それ以下であることを特徴とする請求項１〜３のいずれか１つに記載のクランプカラー。
【請求項５】
前記ストラップの前記第１端は、前記横バックルと連係する側部突出部を有し、前記側部突出部は、前記ストラップの前記第１端が前記横バックルに対して、前記ストラップの前記第１端の自由先端が向く方向と反対の方向へ移動することを防止することを特徴とする請求項１〜４のいずれか１つに記載のクランプカラー。
【請求項６】
前記制止後退部は前記ストラップの前記第１端の内側の面に突出部を形成する皿部を形成し、前記皿部の側部のうちの１つは、前記制止後退部の外側における前記側部の面上に前記制止横止め部を形成し、前記制止後退部の内側における前記側部の面上に前記保持エッジを形成することを特徴とする請求項１〜５のいずれか１つに記載のクランプカラー。
【請求項７】
前記制止後退部は、前記ストラップの前記第１端の横方向中央に形成される横切り込みによって規定され、前記制止横止め部は、前記制止後退部の、前記ストラップの前記第１端の自由先端が位置する側に位置する前記切り込みの縁部上に形成され、前記保持エッジは、反対の縁部上に形成されることを特徴とする請求項１〜５のいずれか１つに記載のクランプカラー。
【請求項８】
前記横バックルの前記内側部分は、増設制止横エッジを有し、前記増設制止横エッジは、前記ストラップの前記第１端の前記自由先端側を向き、前記ストラップの前記第１端の増設制止横止め部と連係し、前記増設制止横止め部は、前記第１端において形成される増設制止後退部を規定することを特徴とする請求項１〜７のいずれか１つに記載のクランプカラー。
【請求項９】
前記増設制止横エッジは、前記横バックルの前記内側部分の第２の自由端上に位置する自由エッジであることを特徴とする請求項８に記載のクランプカラー。
【請求項１０】
前記増設制止横エッジは、前記横バックルの前記内側部分の第２の自由端において、ノッチの、前記ストラップの前記第１端の自由先端が位置する側と反対の側に形成されることを特徴とする請求項９に記載のクランプカラー。
【請求項１１】
前記横バックルは、少なくとも１つの半径方向に突出する外側タブを担持し、前記外側タブは、柄部を有するフックの形状を有し、前記柄部は、頭部を有し、前記頭部の下に凹部（Ｄ）が形成されることを特徴とする請求項１〜１０のいずれか１つに記載のクランプカラー。
【請求項１２】
前記挿通路は、前記横バックルの少なくとも１つの外側の壁部分によって規定される拘束区分を含み、前記外側の壁部分は、前記ストラップの前記第１端の外側の面の上方に位置し、前記外側タブは、前記外側の壁部分に対して縦方向にずれていることを特徴とする請求項１１に記載のクランプカラー。
【発明の詳細な説明】
【技術分野】
【０００１】
本発明は、クランプカラーに関する。このクランプカラーは、ループ状の金属ストラップと、このストラップの第１端に保持される横バックルとを備える。横バックルは、第１端の外側に、ストラップの第２端を挿入する挿通路を形成する。バックルは、ストラップの第１端の内側の面に対向して配置される内側部分を有する。内側部分は、ストラップの第１端の自由先端が向く方向と反対の方向に向く制止横エッジを有する。制止横エッジは、ストラップの第１端の制止横止め部と連係する。制止横止め部は、ストラップの第１端において形成される制止後退部を規定する。
【背景技術】
【０００２】
そのような種類のカラーとして、例えば、特許文献１に記載のものが知られている。その公知のカラーにおいて、バックルは、その内側の面および外側の面に位置が一致する２つの開口部を有する。また、ストラップの第１端は、バックルの開口部と位置が一致する開口部を有する。カラーを物品の回りに締め付けるためには、ストラップを物品の回りで一巡させ、ストラップの第２端をバックルの挿通路に挿入させ、カラーの直径が小さくなるように、牽引力を第２端にかけ、上記開口部に位置が一致するストラップの第２端の領域をくぼませて、くぼみを形成する。くぼみ付けパンチは、バックルの外側の面における開口部を通り、そしてストラップの第２端の材料がストラップの第１端における開口部を通ってバックルの内側の面における開口部に入るようにする。このように、ストラップの第２端におけるくぼみは、上記開口部のエッジによって保持される。くぼみの連係は、精度に欠け、さらに、特許文献１は、そのような欠点を改善するために、異なる形状のくぼみを提案している。それらのくぼみのうちのいくつかは複雑であり、得ることが困難である。さらに、くぼみは、ストラップの第１端における開口部のエッジ、またはバックルの内側の面における開口部のエッジ、またはこれらのエッジの両方と、それらが同一線上に正確に並んだ場合に、連係する。これらの連係の異なるモードは、ランダムである。
【０００３】
このように、上記特許文献１に係るカラーの牽引力下の挙動は、カラーごとに異なり、締め付け力は、カラーに応じて、ストラップの両端間にかかるか、またはストラップの第２端と、ストラップの第１端によって保持されるバックルとの間にかかる。その結果、カラーの牽引力下の挙動は、予測できず、締め付けが弱くなったり、さらには破断が発生したりといった制御不能なおそれがある。
【０００４】
また、上記の種類のカラーとして、特許文献２に記載のものが知られている。このカラーにおいては、締め付けがより正確である。そうなるために、カラーの第１端は、バックルの内側の面の下を通り、バックル内に位置する第１端の部分は、バックルにおける開口部と位置が一致する開口部を有し、バックルにおける開口部は、ストラップの第１端における開口部に貫入するように外向きに折り返されるエッジを有し、ストラップの外側の面は、上記折り返しエッジに対して、バックルの第２の係合端の部分によってくぼみをつけられ、その部分がストラップの第１端における開口部に入るようにされる。そのようなカラーは製造が非常に複雑であり、そのような製造は非常に高い精度を必要とすることが理解され得る。例えば、バックルの内側の面における開口部の折り返しエッジがバックル中に半径方向に過度に遠くへ突出すると、それにより第２端がバックルに挿入されにくくなる可能性があり、くぼみ付けの良好度および精度に悪影響が生じる可能性がある。さらに、ストラップの第１端がバックルの内側の面の下を通ることで、余分な内側の厚みが大きくなる。これは、好ましくない可能性がある。特に、カラーによってクランプされる物品が全周にわたって均一にクランプされなければならないパイプである場合は、好ましくない可能性がある。
【先行技術文献】
【特許文献】
【０００５】
【特許文献１】欧州特許第１７７５２２０号明細書
【特許文献２】米国特許第７３７３６９５号明細書
【発明の概要】
【発明が解決しようとする課題】
【０００６】
本発明は、従来技術の欠点の少なくとも一部を改善することを目的とする。
【課題を解決するための手段】
【０００７】
この目的は、ストラップの第２端が保持横止め部を有し、保持横止め部は、制止後退部に受け止められ、この制止後退部の保持エッジと当接して連係することによって、ストラップの第２端を保持し、それによりストラップの第２端がカラーの直径が大きくなる方向に移動することを防止するという特徴によって達成される。
【０００８】
したがって、カラーを製造することは容易である。なぜなら、カラーの第１端に対してバックルを制止するように機能し、カラーが締め付け状態にある場合、ストラップの第２端が半径を拡大する方向に移動しないように保持されるようにする制止後退部が存在するという利点があるからである。保持止め部は、制止後退部において受け止められ、この後退部に対して正確に位置付けられる。この保持止め部は、後退部のエッジと連係して上記保持を達成する。さらに、保持横止め部は、プレートのエッジではなく、ストラップの第１端に直接形成された保持エッジと連係する。言い換えると、プレートに応力をかけない「重なり合ったストラップ（ｓｔｒａｐ−ｏｎ−ｓｔｒａｐ）」による保持を達成する。このように、締め付けの良好度が最適化される。
【０００９】
一局面によると、制止横エッジは、バックルの内側部分の第１の自由端上に位置する自由エッジである。
【００１０】
この場合、バックルの製造が簡単化される。なぜなら、上記従来技術と異なり、ストラップの第１端に対してバックルを制止するために、バックルを通る中心開口を形成する必要がないからである。
【００１１】
例えば、制止横エッジは、バックルの内側部分の第１の自由端において、ノッチの後ろに形成される。
【００１２】
このように、制止後退部は、上記ノッチに収容され得る。ストラップの内側から見ると、後退部の底は、ノッチの両側のバックルの内側の面と同じ半径に位置し得る。後退部の深さは、ストラップの内側の面上のショルダーが急峻とならないように、バックルから離れるにつれ小さくなるようにされ得る。これにより、流体を送るための物品の回りでカラーを締め付ける場合、例えば、カラーをスリーブに外嵌されたパイプの回りで締め付ける場合、カラーのクランプに対して密封が向上することを保証する。
【００１３】
一局面によると、保持横止め部は、ストラップの第２端において形成される保持後退部を規定する。
【００１４】
保持後退部の領域において、ストラップの内部は、加工硬化され、これにより良好な強度が後退部および保持止め部に与えられ、それにより締め付けの良好度が向上される。
【００１５】
保持後退部は、横切り込みによって規定され、保持止め部は、後退部の後ろに位置するこの切り込みの縁部上に形成されてもよい。
【００１６】
言い換えると、保持後退部は、切り込みエッジを形成し、制止後退部の保持エッジと保持的に連係する縁部を有する、切れ目によって形成される。したがって、保持止め部の位置付けの精度は、幾何形状の精度と同様に、極めて高い。なぜなら、折り返しではなく、切り込みによって得られるからである。したがって、位置付けの精度に関して、ストラップの厚さやその折り返しの精度などは、考慮されない。
【００１７】
一局面によると、制止後退部は皿部を形成し、皿部の側部のうちの１つは、後退部の外側における面上に制止止め部を形成し、後退部の内側における面上に保持エッジを形成する。
【００１８】
この場合、保持エッジは、ストラップの材料が非常に高度に加工硬化され、したがって非常に高い牽引力強度を有する領域に位置する。したがって、カラーは、非常に大きな締め付け張力で締め付けられ得る。
【００１９】
別の局面において、制止後退部は、横切り込みによって規定され、制止止め部は、制止後退部の後ろに位置するこの切り込みの縁部上に形成され、保持エッジは、反対の縁部上に形成される。
【００２０】
この場合、保持エッジの保持止め部に対する位置付けの精度が高いので、精度のよい締め付けを得ることができる。
【００２１】
一局面によると、バックルの内側部分は、増設制止横エッジを有する。増設制止横エッジは、ストラップの第１端の自由先端側を向き、ストラップの第１端の増設制止横止め部と連係する。増設制止横止め部は、第１端において形成される増設制止後退部を規定する。
【００２２】
この場合、増設制止横エッジは、バックルの内側部分の第２の自由端上に位置する自由エッジであり得る。
【００２３】
また、増設制止横エッジは、バックルの内側部分の第２の自由端において、ノッチの後ろに形成される。
【００２４】
制止横エッジおよび増設制止横エッジは、同じ方法で形成され、バックルの内側部分の横中心線を中心にして対称となってもよい。これら２つの制止横エッジは、同じくぼみ付け操作によって、非常に高い精度で、同時に形成されてもよい。
【００２５】
一局面によると、バックルは、少なくとも１つの半径方向に突出する外側タブを担持し、タブは、柄部を有するフックの形状を有し、柄部は、頭部を有し、頭部の下に凹部が形成される。
【００２６】
発明を実施するための形態において説明されるように、この外側タブは、カラーの締め付け具に対する位置付けを容易にする。
【００２７】
ストラップの第２端が挿入されるバックルの挿通路は、バックルの少なくとも１つの外側の壁部分によって規定される拘束区分を含み、外側の壁部分は、ストラップの第１端の外側の面の上方に位置し、外側タブは、外側の壁部分に対して縦方向にずれていることが可能である。
【図面の簡単な説明】
【００２８】
以下の発明を実施するための形態を読めば本発明が十分に理解され、その利点がより明瞭となる。実施形態は、例を用いて説明するが、その例に限定されない。説明において、添付の図面を参照する。
【００２９】
【図１】図１は、本発明のクランプカラーの締め付け前の斜視図である。
【図２】図２は、図１のカラーの締め付け後の部分斜視図である。
【図３】図３は、図１および図２のカラーのストラップの内側の面の、横バックルの近傍における斜視図である。
【図４】図４は、図２の断面ＩＶ−ＩＶに沿った断面図である。
【図５】図５は、図４に類似の図であるが、変形実施形態を示す図である。
【図６】図６は、先行する図のカラーがその締め付け具とどのように連係するかを示す模式側面図である。
【図７】図７は、図６の矢印ＶＩＩに沿って見た端面図である。
【発明を実施するための形態】
【００３０】
本明細書において、用語「内側」は、カラーによって規定される円の幾何学的中心Ｃに対してより近くに位置する要素を説明するために使用される。他方、用語「外側」は、中心Ｃからより遠くに位置する要素を説明するために使用される。さらに、用語「縦」は、ストラップの長さに沿って伸びる要素、すなわち、図に示すようにストラップが一巡してそれ自体に重なる場合に、そのループ方向に伸びる要素を説明するために使用される。用語「横」は、上記長さに垂直に、すなわち、ストラップの幅にわたって伸びる要素を説明するために使用される。
【００３１】
まず、図１および図３について説明する。図１および図３からわかるように、クランプカラーは、ループ状の金属ストラップ１０と、このストラップの第１端１０Ａにて保持される横バックル１２とを備える。図１および図２からより明らかにわかるように、第１端１０Ａの外側に、バックル１２は、第２端１０Ｂが挿入される挿通路１３を形成する。
【００３２】
本明細書において、ストラップの「第１端」は、バックルと連係する第１端の全区分を意味する。同様に、「第２端」は、バックルと連係する第２端の全区分を意味する。
【００３３】
図３からより明らかにわかるように、バックル１２は、ストラップ１０の第１端１０Ａの内側の面に対向して配置された内側部分１４を有する。外側において、バックルは、２つの外側の壁部分、それぞれ１５Ａおよび１５Ｂ、を有する。各外側の壁部分は、内側部分１４の対応する縦エッジから折り返されている。これらの外側の壁部分は、ストラップ１０の第１端１０Ａの外側の面の上方に位置する舌状部分を形成する。これらの折り返し舌状部分の内側の面とストラップの第１端１０Ａの外側の面との間に半径方向に規定される空間は、挿通路１３の拘束区分を形成する。その区分にストラップの第２端１０Ｂが通される。「拘束区分」の概念は、上記空間の半径方向の高さがストラップの第２端１０Ｂをその空間に挿入するのにちょうど十分な高さであって、第２端が半径方向を外向きに移動しないように保持されることを意味する。
【００３４】
特に図３および４からわかるように、第１端１０Ａは、第１端に対するバックルの制止に寄与する制止後退部１６を有する。図４からよりよくわかるように、この制止後退部１６は、バックル１２の内側部分の制止横エッジ１４Ａと連係する制止横止め部１６Ａを有する。図示の例において、このエッジおよびこの止め部は、直線状であり、ストラップに対して横方向に伸びている。このように、止め部１６Ａとエッジ１４Ａとの連係により、ストラップの第１端１０Ａがバックル１２に対してＦ方向（図４参照）に移動することが防止される。
【００３５】
ストラップの第１端１０Ａを反対方向に保持するために、上記手段と類似する手段を使用する。そうするために、図示の例において、バックルの内側部分は、増設制止横エッジ１４Ｂを有する。増設制止横エッジ１４Ｂは、ストラップの第１端１０Ａの自由先端１０’Ａ側を向き、ストラップの第１端における増設制止横止め部１６’Ａと連係する。この増設制止横止め部は、上記第１端において形成される増設制止後退部１６’を規定する。
【００３６】
増設制止横止め部１６’Ａおよび増設制止後退部１６’は、バックルの内側部分の横中心線Ｌを中心にして、制止横止め部１６Ａおよび制止後退部１６に対して略対称である。止め部１６’Ａとエッジ１４Ｂとの連係により、ストラップの第１端１０Ａがバックル１２に対して図４に示す方向Ｆと反対の方向に移動することが防止される。
【００３７】
図４からより明瞭にわかるように、ストラップの第２端１０Ｂは、制止後退部１６において受け止められる保持横止め部１１を有する。この保持横止め部は、制止後退部１６の保持エッジ１７Ａと当接して連係する。保持止め部１１と保持エッジ１７Ａとの連係によって、ストラップの第２端１０Ｂが第１端１０Ａに対して図４において矢印Ｆによって示される方向に移動することを防止されることが理解され得る。言い換えると、カラーが一旦締め付けられると、この連係によって、カラーの緩みが防止される。
【００３８】
保持横止め部１１は、ストラップの第２端において形成される保持後退部１１’を規定する。このように、この保持後退部１１’は、ストラップの第２端１０Ｂの内側の面上に突出部を形成し、図４からわかるように、保持後退部は、制止後退部１６において受け止められる。特に図２からわかるように、保持後退部１１’の縦エッジは、内向きに伸びるショルダーを形成する。ショルダーにおいて、その材料は、非常に高度に加工硬化される。保持止め部１１と反対の後退部の横エッジについても同様である。これにより、保持後退部は、その全体領域で高い強度を有する。このように、保持止め部１１は、特に大きな力に耐えることができる。
【００３９】
保持後退部１１’は、横切り込みによって規定される。保持止め部１１は、保持後退部の後ろに位置する、この切り込みの縁部（ｌｉｐ）上に形成される。切り込みの縁部は、ストラップの第２端の自由先端１０’Ｂが向く方向と反対の方向に向く。この縁部は、直線状であり、横方向に伸びている。その幾何学的形状は、特に輪郭がはっきりしているので、ストラップの第２端は、制止横エッジに対して精度よく保持される。
【００４０】
この例において、制止後退部１６は、皿部を形成する。この皿部の側部のうちの１つは、後退部１６の外側にあるその面上で制止止め部１６Ａを形成し、後退部の内側にあるその面上で保持エッジ１７Ａを形成する。「内側」および「外側」の上記に定義した概念とは別に、後退部の内側および外側の面は、後退部自体に対して定義される。この例において、後退部は、カラーの第１端１０Ａの内側の面上に突出部を形成するので、後退部の外側の面は、第１端１０Ａの内側の面上にあり、他方後退部の内側の面は、第１端の外側の面上に位置する。図４のような断面からわかるように、制止止め部１６Ａおよび保持エッジ１７Ａを、２つの互いに反対の面のそれぞれに有する後退部１６の側部は、バックルの内側部分１４の内側の面に対して実質的に垂直な、半径方向に伸びるショルダーの形態を有する。
【００４１】
図３からより明瞭にわかるように、制止横エッジ１４Ａは、バックル１２の内側部分１４の第１の自由端１２Ａ上に位置する自由エッジである。より詳細には、この例において、制止横エッジ１４Ａは、上記第１の自由端１２Ａにおいて、ノッチ１９の後ろに形成される。ノッチの両側に、縦に突出する枝部１９Ａおよび１９Ｂがある。制止後退部１６は、ノッチにおいて受け入れられ、その両側に上記枝部１９Ａおよび１９Ｂが位置する。図３からわかるように、後退部１６の内側の面は、ノッチの後ろの近傍において、バックルの内側部分１４の内側の面の半径方向の高さから進み、ノッチ１９の後ろから離れるにつれ徐々にストラップの平面に戻ることにより、ストラップの内側の面において急峻なショルダーを形成しないようにする。
【００４２】
逆に、図からわかるように、バックル１２の内側部分の自由端１２Ａに位置するストラップの第１端は、内向きに伸びるショルダー２３を形成するので、このショルダーのストラップの自由先端１０’Ａからより遠い側に位置するストラップの内側の面がバックル１２の内側の面と実質的に同一線上に位置するようになる。半径方向に測定されるショルダーの高さは、バックルの内側部分１４の厚さＥｂに実施的に一致する。
【００４３】
制止横エッジ１４Ａと同様に、増設制止横エッジ１４Ｂは、バックルの自由エッジであるが、バックルの内側部分１４の第１の自由端１２Ａと反対の第２の自由端１２Ｂに位置する。また、この増設制止エッジ１４Ｂは、バックルの内側部分１４の第２の自由端１２Ｂにおいて、ノッチ１９’の後ろに形成される。このように、このノッチの両側には、縦に突出する枝部１９’Ａおよび１９’Ｂがある。
【００４４】
また、図からわかるように、バックルの内側部分１４の第２の自由端１２Ｂにおいて、ストラップの第１端１０Ａは、側部突出部２１Ａ、２１Ｂを有する。これらの突出部は、ストラップの第１端を部分的にパンチすることによって形成される。パンチによって材料が横方向外向きに押し出される。側部突出部２１Ａ、２１Ｂは、側部「出張り」を形成する。バックルの自由端１２’Ｂは、側部「出張り」と連係する。側部突出部２１Ａ、２１Ｂは、ストラップの第１端の保持に寄与し、ストラップの第１端がバックル１２に対して矢印Ｆによって示される方向と反対の方向へ移動することを防止する。このように、図示の例において、ストラップの第１端をバックルに対して矢印Ｆの方向と反対の方向において保持するために、上記側部突出部２１Ａおよび２１Ｂだけでなく、増設制止横エッジ１４Ｂと連係する増設制止横止め部１６’Ａが使用される。
【００４５】
これにより、カラーの締め付け中にかかる力に対して非常に高い耐性を得ることができる。上記のように、カラーが一旦締め付けられると、ストラップの第２端の保持横止め部１１とストラップの第１端において形成された制止後退部の保持エッジ１７Ａとの間に直接生じる「重なり合ったストラップ（ｓｔｒａｐ−ｏｎ−ｓｔｒａｐ）」の連係によってカラーの締め付け状態が維持される。しかし、締め付け中に、最小のクランプ直径が得られるように牽引力をストラップの第２端にかける場合には、締め付け具をバックル１２に押し付けてもよく、したがって、バックルがストラップに対して確実に保持されることが重要である。
【００４６】
もちろん、側部突出部２１Ａおよび２１Ｂだけによって方向Ｆと反対の方向に保持することも可能であり、また横止め部１６’Ａと横エッジ１４Ｂとの連係だけによって保持することも可能である。また、当業者によって利用可能な他の形式の保持方法を選択することも可能である。
【００４７】
カラー１０のバックル１２は、半径方向に突出する２つの外側タブ２０および２２を有する。各タブは、柄部（それぞれ２０Ａおよび２２Ａ）および頭部（それぞれ２０Ｂおよび２２Ｂ）を有するフックの形態であり、頭部２０Ｂおよび２２Ｂの下に凹部Ｄが形成される。この凹部は、挿通路１３の一区分を形成し、ストラップの第２端１０Ｂは、フックの頭部２０Ｂおよび２２Ｂの下を通る。しかし、上記のように、ストラップの第２端１０Ｂが半径方向を外向きに移動することを防止するようにストラップの第２端１０Ｂを保持するように機能するのは、折り返し舌状部分１５Ａおよび１５Ｂの形態を有するこの挿通路の拘束区分である。
【００４８】
この例において、頭部は、縦に伸びる自由エッジ２０’Ｂ、２２’Ｂを有する。柄部は、バックルの両側で、その内側部分１４の縦エッジから互いに面するように伸び、ストラップの第２端１０Ｂは、それら柄部の間を通って挿通路１３の拘束区分に入る。
【００４９】
外側タブ２０および２２は、上記外側の壁部分１５Ａおよび１５Ｂに対して縦方向にずれている。例えば、外側の壁部分１５Ａまたは１５Ｂが形成されるバックル１２の各舌状部分は、最初はタブ２０または２２と一体となっていてもよい。１つの横切り欠きによって壁部分からタブを分離し、この壁部分をバックル１２の内側部分１４と平行になるまで折り返し、他方タブをフック形状にする。
【００５０】
後述のように、これらのタブは、カラーおよびそれを締め付けるように機能する器具が互いに対して正しく位置付けられることを確実にするために機能する。
【００５１】
また、図４からわかるように、後退部の両側におけるストラップの外側の面の第１端の平面から半径方向に測定される、制止後退部１６の深さＰは、バックルの内側部分１４の厚さＥｂに実質的に等しいか、それ以下である。図４において、制止後退部は、上記皿部によって形成される。このように、この後退部の深さは、後退部の内側の面がバックル１２の内側部分の内側の面に対して内向きに突出しないようにできる限り、重要ではない。
【００５２】
この深さは、以下に説明する図５に示す変形例においてより重要である。図５において、それより前の図で使用した同じ参照符号に１００を足したものを使用する。図５において、制止後退部１１６は、横切り込みによって規定される。制止止め部１１６Ａは、後退部１１６の後ろに位置する上記切り込みの縁部上に形成される。この切り込みの縁部は、ストラップの第１端の自由先端１１０’Ａに向く。後退部１１６の深さＰは、ストラップの厚さｅに一致し、この制止後退部において受け止められることによって、保持後退部１１１’が形成されるストラップの第２端１１０Ｂの部分は、バックル１１２の内側部分１１４の外側の面に対向して位置する第１端１１０Ａの部分と面一になる。言い換えると、この場合、保持止め部１１１は、制止後退部１１６を規定する切り込みの縁部１１７Ａに面するように位置し、ストラップの第１端の自由先端１１０’Ａが向く方向と反対の方向に向く。このように、この縁部１１７Ａは、保持エッジを形成する。
【００５３】
続いて、図６および７を説明する。図６および７は、カラーがカラーを締め付けるように機能する器具とどのように連係するかを示す。
【００５４】
簡略のために、器具の頭部の機能部分のみを示す。より詳細については、例えば、仏国特許第２５４２３８８号明細書を参照のこと。
【００５５】
図６および７に示す器具３０の部分は、その頭部３２およびそのパンチ３３を備える。パンチ３３は、作動システムＭによって、チャネル３１内を移動し、カラーのストラップの第２端１０Ｂにくぼみをつけ、保持止め部を形成する。図６において、矢印Ａによって示される方向にパンチ３３がくぼみを付けるように移動する場合の、カラーのストラップに接触する際のパンチ３３が示される。
【００５６】
カラーは、その第２端に牽引力が（図示しない手段によって）かけられることによって締め付けられ、同時に器具の頭部は、バックル１２を支持する。所望のレベルの締め付けが一旦得られると、くぼみ付けを行うようにパンチ３３を移動させる。なお、パンチ３３の頭部３３Ａは、面取りされ、横切断スパイク３３’Ａを有し、同時に保持止め部１１および保持後退部１１’を形成する。
【００５７】
上記のように、タブ２０および２２は、器具およびカラーを互いに対して位置付けるように機能する。また、タブ２０および２２は、パンチのくぼみ付け方向Ｖに垂直な平面にバックルを位置付けることが可能である。
【００５８】
より詳細には、タブ２０および２２は、少なくとも部分的に側部後退部３４に挿入される。より詳細には、これらのタブによって形成されるフックの頭部２０Ｂおよび２２Ｂが後退部３４に貫入する。フックの頭部の内側の面は、それに面するように位置する後退部３４の面と連係して、器具がカラーに対して図７において矢印Ｈによって示される方向に移動することを防止する。
【００５９】
さらに、２つのタブ２０および２２がそれぞれ対応のバックル１２の縦エッジ上（すなわち、カラーの両側の縦エッジ上）に位置する状態で存在する限り、後退部３４に対して内側（カラーの中心に向いて）に位置する器具の頭部の中心部分３６は、タブ２０および２２によって形成されるフックの柄部２０Ａおよび２２Ａの間において制止される。これにより、器具が方向ｌにおいてカラーに対して横方向に移動することを防止できる。なお、器具の頭部は、この頭部の側部上で後退部３４を閉じる側板（ｃｈｅｅｋ  ｐｌａｔｅ）３８を有して、タブを受け取るための手段がフック形状のスロットの形態を取ってもよい。これらの側板３８は、図７に示されており、そのうちの１つが図６において一点鎖線によって描かれている。
【００６０】
上記のカラーにおいて、バックル１２は、適切に切り抜かれ、折り返された金属ブランク部材から形成される。この例において、バックル形状にされた、このブランク部材の「接合平面」は、カラーの外側の、折り返し舌状部分１５Ａおよび１５Ｂ間に位置する。この例において、舌状部分の縦端（自由縦エッジ）は、幅Ｅの間隔をあけて配置される。第一に、これにより、バックルを形成するための材料を節約することができる。第二に、図７からわかるように、これにより、器具をカラーに対して制止することを容易化できる。このように、器具の頭部３２の中心部分３６は、舌状部分１５Ａおよび１５Ｂの自由端の間に形成された空間に収まる、内向きに突出する中心リブ３６Ａを有するので、カラーのストラップの第２端１０Ｂと直接に連係することができる。反対に、後退部３４の内側において、中心リブ３６Ａの両側で伸びる側部突出部は、折り返し舌状部分１５Ａおよび１５Ｂと直接に連係する。
【００６１】
再びタブ２０および２２について説明すると、タブ２０および２２は、柄部と頭部との間の接合部に内側リブ２０Ｃおよび２２Ｃをそれぞれ有することがわかる。内側リブの厚さは、頭部へ向かって大きくなる。例えば、これは、半径方向に対して実質的に４５度に傾き、タブの内側に向かって突出するガセットによって実現できる。このように、フックの頭部の近傍におけるリブは、その間の間隔を、ストラップの第２端１０Ｂの幅より小さく規定する。これにより、使用者が単に第２端をタブ２０および２２間に挿入することによってカラーが閉じられたと考えることを回避できる。使用者がそうしようとすると、上記内側リブの形状は、自然に第２端を内向きに（カラーの中心Ｃへ向って）、すなわち、折り返し舌状部分１５Ａおよび１５Ｂの下で、挿通路１３の拘束区分内に移動させる。
【図１】
0006744229.tif 000002
【図２】
0006744229.tif 000003
【図３】
0006744229.tif 000004
【図４】
0006744229.tif 000005
【図５】
0006744229.tif 000006
【図６】
0006744229.tif 000007
【図７】
0006744229.tif 000008